(57)【要約】【課題】シワの発生を回避しながら用紙を確実に搬送し、しかも、用紙に付着した紙粉を確実に除去し、たとえ用紙の裁断面に紙エッジの返りがあっても、その返りを潰すことが可能な画像形成装置の用紙搬送部。【解決手段】互いに回転駆動される一対のレジストローラ１１，１２が、用紙を転写部へ搬送する画像形成装置の用紙搬送部で、一対のレジストローラ１１，１２が、用紙の幅に対応した長さＬ１の第一レジストローラ１１と、第一レジストローラ１１よりも短い第二レジストローラ１２からなり、第一と第二レジストローラ１１，１２が、第一レジストローラ１１の長手方向の中間部にニップ部Ｎを有し両端部に非ニップ部を有するように配設され、第二レジストローラ１２とほぼ同じ外径を有する遊転ローラ１６が、非ニップ部に対応して第二レジストローラ１２の両端部に遊転自在に設けられている。【選択図】図３
2008050136.tif 000002
【特許請求の範囲】
【請求項１】
互いに回転駆動される一対のレジストローラが、給紙部からの用紙を挟持して転写部へ搬送するように設けられている画像形成装置の用紙搬送部であって、
前記一対のレジストローラが、前記用紙の幅に対応した長さを有する第一レジストローラと、その第一レジストローラよりも短い第二レジストローラからなり、それら第一と第二レジストローラが、前記第一レジストローラの長手方向の中間部にニップ部を有し両端部に非ニップ部を有するように配設され、前記第二レジストローラとほぼ同じ外径を有する遊転ローラが、前記非ニップ部に対応して前記第二レジストローラの両端部に遊転自在に設けられている画像形成装置の用紙搬送部。
【請求項２】
前記第一レジストローラは、表面が金属製の金属ローラであり、前記第二レジストローラと遊転ローラは、表面がゴム製のゴムローラである請求項１に記載の画像形成装置の用紙搬送部。
【発明の詳細な説明】
【技術分野】
【０００１】
本発明は、互いに回転駆動される一対のレジストローラが、給紙部からの用紙を挟持して転写部へ搬送するように設けられている画像形成装置の用紙搬送部に関する。
【背景技術】
【０００２】
このような画像形成装置としては、複写機、プリンタ、ファクシミリなどがあり、従来では、用紙搬送部に設けられる一対のレジストローラが、挟持する用紙の幅に対応して同じ長さを有していた（例えば、特許文献１参照）。
【０００３】
【特許文献１】特開平７−１５７１４６号公報（図３）
【発明の開示】
【発明が解決しようとする課題】
【０００４】
しかし、一対のレジストローラには、用紙のすべりを抑えて用紙を確実に搬送する機能が要求されるため、両レジストローラの両端部を互いに圧接させる必要がある。ところが、両レジストローラが同じ長さであると、両レジストローラの中央部における圧接力が、両端部における圧接力に比べてどうしても弱くなり、そのため、中央部において用紙のすべりに伴う波うちが発生し、それが原因となって、用紙への転写不良やシワの発生が生じるという問題があった。
【０００５】
このような問題を解消するには、図６に示すように、用紙の幅に対応した長さＬ１を有する第一レジストローラ１１と、Ｌ１よりも短い長さＬ２を有する第二レジストローラ１２により一対のレジストローラ１１，１２を構成し、第一レジストローラ１１の長手方向の中央部にニップ部Ｎ（長さはＬ２）を有するように配設することが考えられる。
しかしながら、一対のレジストローラ１１，１２には、用紙を確実に搬送する機能に加えて、用紙に付着した紙粉を除去する機能も要求されるため、図６に示した改良案では、両レジストローラ１１，１２が、用紙の幅方向の両端部において密着せず、用紙の両端部に付着した紙粉を除去し得なくなるという別の問題が生じる。
【０００６】
すなわち、用紙の両端部に紙粉が付着したままであると、例えば、紙粉によって感光体ドラムの表面が傷つけられ、その傷にトナー成分が入り込んで帯電不良を起こして画像異常を生じる可能性がある。
さらに、裁断面に紙エッジの返りがあるような粗悪な用紙を使用すると、用紙の幅方向の両端部では、その紙エッジの返りが潰されず、紙エッジによって感光体ドラムの表面が傷つけられ、紙粉の場合と同じように画像異常を生じる可能性がある。
【０００７】
本発明は、このような種々の問題点に着目したもので、その目的は、シワの発生を回避しながら用紙を確実に搬送することができ、しかも、用紙に付着した紙粉を確実に除去することができ、たとえ用紙の裁断面に紙エッジの返りがあっても、その返りを潰すことが可能な画像形成装置の用紙搬送部を提供することにある。
【課題を解決するための手段】
【０００８】
本発明の第１の特徴構成は、互いに回転駆動される一対のレジストローラが、給紙部からの用紙を挟持して転写部へ搬送するように設けられている画像形成装置の用紙搬送部であって、前記一対のレジストローラが、前記用紙の幅に対応した長さを有する第一レジストローラと、その第一レジストローラよりも短い第二レジストローラからなり、それら第一と第二レジストローラが、前記第一レジストローラの長手方向の中間部にニップ部を有し両端部に非ニップ部を有するように配設され、前記第二レジストローラとほぼ同じ外径を有する遊転ローラが、前記非ニップ部に対応して前記第二レジストローラの両端部に遊転自在に設けられているところにある。
【０００９】
本発明の第１の特徴構成よれば、一対のレジストローラが、用紙の幅に対応した長さを有する第一レジストローラと、その第一レジストローラよりも短い第二レジストローラからなり、それら第一と第二レジストローラが、第一レジストローラの長手方向の中間部にニップ部を有し両端部に非ニップ部を有するように配設されているので、両レジストローラの圧接力は、ニップ部の全長にわたって比較的均一となり、そのため、用紙のすべりに伴う波うちの発生を回避し、用紙へのシワの発生を防止しながら確実に搬送することができる。
そして、第二レジストローラとほぼ同じ外径を有する遊転ローラが、前記非ニップ部に対応して第二レジストローラの両端部に遊転自在に設けられているので、各遊転ローラは第一レジストローラに密接するにもかかわらず、強制的に回転駆動されることがなく、その結果、用紙へのシワの発生を防止しながら用紙に付着した紙粉を確実に除去し、さらに、用紙の裁断面に紙エッジの返りがある場合には、その紙エッジの返りを確実に潰すことになる。
【００１０】
本発明の第２の特徴構成は、前記第一レジストローラは、表面が金属製の金属ローラであり、前記第二レジストローラと遊転ローラは、表面がゴム製のゴムローラであるところにある。
【００１１】
本発明の第２の特徴構成によれば、第一レジストローラは、表面が金属製の金属ローラであり、第二レジストローラと遊転ローラは、表面がゴム製のゴムローラであるから、ゴムローラの弾性を有効に利用して、第一レジストローラと第二レジストローラおよび遊転ローラとの間に所定の圧接力を現出させることができ、かつ、用紙に付着した紙粉を金属ローラである第一レジストローラ側へ移転させて確実に除去することができる。
【発明を実施するための最良の形態】
【００１２】
本発明による画像形成装置の用紙搬送部につき、その実施の形態を図面に基づいて説明する。
画像形成装置としては、複写機、プリンタ、ファクシミリなどがあり、複写機を例にとると、図１に示すように、感光体ドラム１を備え、その感光体ドラム１の周囲には、帯電部２、現像部３、転写ローラ４、クリーニング・除電部５などが配置され、さらに、定着部６、給紙部としての用紙トレイ７、用紙トレイ７内の用紙Ｐを転写ローラ４へ搬送する用紙搬送部８などを備えている。
そして、光学部９で読み取った画像情報に基づいて感光体ドラム２の表面に静電潜像を形成し、その静電潜像を現像部３でトナー現像し、転写ローラ４によりトナー像を用紙Ｐへ転写し、定着部６で定着した後、排紙部１０へ排出するように構成されている。
【００１３】
用紙搬送部８には、図２と図３に詳しく示すように、第一レジストローラ１１と第二レジストローラ１２からなる一対のレジストローラ１１，１２が配設されて、用紙トレイ７からの用紙Ｐを挟持して転写部としての転写ローラ４へ搬送するように構成されている。
第一レジストローラ１１は、表面が金属製の金属ローラで、用紙Ｐの幅に対応した長さＬ１を有し、一対の軸受１３ａにより回転自在に支持された第一回転軸１３に取り付けられている。それに対し、第二レジストローラ１２の方は、表面がゴム製のゴムローラで、第一レジストローラ１１の長さＬ１よりも短い長さＬ２を有し、一対の軸受１４ａにより回転自在に支持された第二回転軸１４に取り付けられ、第二回転軸１４の軸受１４ａが、加圧バネ１５により第一回転軸１３の軸受１３ａ側へ押圧されている。
【００１４】
第一レジストローラ１１と第二レジストローラ１２は、第一レジストローラ１１の長手方向の中央部にニップ部Ｎ（長さはＬ２）を有し両端部に非ニップ部を有するように配設され、上述した加圧バネ１５によって互いに接触するように構成されている。
第二レジストローラ１２の両端部には、第二レジストローラ１２とほぼ同じ外径を有する表面がゴム製の遊転ローラ１６が、上述した非ニップ部に対応するように配設されて、各遊転ローラ１６が、図４に示すように、第二回転軸１４に対して遊転自在に、つまり、相対回転自在に外嵌されている。
そして、第一回転軸１３に固着の第一ギヤ１７と第二回転軸１４に固着の第二ギヤ１８が、互いに噛合されて図外の駆動機構に連動連結され、第一と第二レジストローラ１１，１２が、互いに回転駆動されるように構成されるとともに、第一レジストローラ１１の背面には、図５に示すように、第一レジストローラ１１とほぼ同じ長さを有するブラシ１９が配設されて、第一レジストローラ１１の表面に付着した紙粉を掻き取って下方の紙粉受け２０へ落下させるように構成されている。
【００１５】
〔発明の効果〕
本発明によれば、長さの異なる第一と第二レジストローラ１１，１２が、第一レジストローラ１１の長手方向の中央部にニップ部Ｎを有するように配設されているので、両レジストローラ１１，１２の圧接力は、ニップ部Ｎの全長にわたってほぼ均一となって、用紙Ｐのすべりに伴うシワの発生が回避され、用紙Ｐを確実に搬送することができる。
そして、第二レジストローラ１２とほぼ同じ外径を有する遊転ローラ１６が、第二レジストローラ１２の両端部に遊転自在に設けられているので、各遊転ローラ１６と第一レジストローラ１１が密接することになり、用紙Ｐに付着した紙粉の除去と用紙裁断面における紙エッジの返りの潰しを確実に実行することができる。
【００１６】
〔別実施形態〕
先の実施形態では、第一レジストローラ１１を金属ローラで構成した例を示したが、金属ローラ以外にも、例えば、表面が樹脂製の樹脂ローラで構成することもできる。
同様に、第二レジストローラ１２と遊転ローラ１６に関しても、特にゴムローラに限るものではなく、例えば、表面が樹脂製の樹脂ローラで構成することもできる。
【図面の簡単な説明】
【００１７】
【図１】複写機の概要を示す構成図
【図２】レジストローラの斜視図
【図３】レジストローラの正面図
【図４】レジストローラの要部の断面図
【図５】レジストローラの側面図
【図６】レジストローラの改良案を示す説明図
【符号の説明】
【００１８】
４      転写部
７      給紙部
８      用紙搬送部
１１    第一レジストローラ
１２    第二レジストローラ
１６    遊転ローラ
Ｌ１    第一レジストローラの長さ
Ｌ２    第二レジストローラの長さ
Ｎ      ニップ部
Ｐ      用紙
【図１】
2008050136.tif 000003
【図２】
2008050136.tif 000004
【図３】
2008050136.tif 000005
【図４】
2008050136.tif 000006
【図５】
2008050136.tif 000007
【図６】
2008050136.tif 000008